(57)【要約】誘導木材製品の板からなるビルディングであって、外壁（１０）と、内壁（１）と、天井板（２０）および／または屋根板（２０）とを有し、これらは、各誘導木材製品の板からなり、スペーサ（４、１４、２４）によって互いに距離を維持された少なくとも１つの内側板（２、１２、２２）と少なくとも１つの外側板（３、１３、３３）を有することによって２つまたはそれ以上のシェルを有して作られている。板（２、３：１２、１３：２２、２３）の間に空所（５、１５、２５）がある。内壁（１）と、外壁（１０）と、天井板（２０）および／または屋根板（２０）とを形成する板は、少なくとも一方の方向に一体的に連続的に作られている。（図２）
2004508476.tif 000002
【特許請求の範囲】
【請求項１】
外壁（１０）と、内壁（１）と、天井板（２０）および／または屋根板（２０）とを有し、これらはスペーサ（４、１４、２４）によって互いに距離を維持され互いに接合された少なくとも１つの内側板（２、１２、２２）と少なくとも１つの外側板（３、１３、３３）を備えた誘導木材製品の板からなっているビルディングであって、板（１、１０、２０）の内側板と外側板との間（２、３：１２、１３：２２、２３）に空所（５、１５、２５）を備えたものにおいて、内壁（１）と、外壁（１０）と、天井板および／または屋根板（２０）を形成する板（１、１０、２０）は、少なくとも一方の方向に連続的に一体に作られていて、また、板（１、１０、２０）は、そのとき所望の寸法と所望の端部構成を有して予備組み立てされていることを特徴とするビルディング。
【請求項２】
板（１、１０、２０）の内側板と外側板（２、３：１２、１３：２２、２３）は、パーティクルボードである請求項１記載のビルディング。
【請求項３】
内側板および／または外側板（２、３：１２、１３：２２、２３）の木の薄片は、異なった方向へ方向付けられた幾つかの好ましくは３つの層、または１つの層の木の薄片の層を有していて、また、本質的に同一方向へ方向付けられた木の薄片を有する請求項２記載のビルディング。
【請求項４】
スペーサ（４、１４、２４）は、細片である請求項１記載のビルディング。
【請求項５】
スペーサ（４、１４、２４）は、ブロックである請求項１記載のビルディング。
【請求項６】
配管およびガス／電力が、板（１、１０、２０）の中に設けられた空所（５、１５、２５）内に配置されている請求項１ないし５いずれか１項記載のビルディング。
【請求項７】
板（１、１０、２０）内の空所（５、１５、２５）は、加熱空気または加熱水の加熱装置に接続されている請求項１ないし６いずれか１項記載のビルディング。
【請求項８】
板（１、１０、２０）内の空所（５、１５、２５）は、空気調和設備に接続されている請求項１ないし７いずれか１項記載のビルディング。
【請求項９】
外壁板（１０）と、内壁板（１）と、天井板（２０）および／または屋根板（２０）内の空所（５、１５、２５）は、互いに連通している請求項１ないし８いずれか１項記載のビルディング（図８、１０）。
【請求項１０】
内壁（１）は、水平方向に連続的に作られた板からなる請求項１ないし９いずれか１項記載のビルディング。
【請求項１１】
外壁（１０）は、水平方向に連続的に作られた板からなる請求項１ないし１０いずれか１項記載のビルディング。
【請求項１２】
天井部材（２０）は、ビルディングの幅または長さの方向に連続的に作られた板である請求項１ないし１１いずれか１項記載のビルディング。
【請求項１３】
屋根は、屋根の勾配の方向に通った板（２０）で作られている基礎構造を有している請求項１ないし１２いずれか１項記載のビルディング。
【請求項１４】
外壁（１０）は、水平接合を有して互いに頂部に配置されている板で作られている請求項１ないし１３いずれか１項記載のビルディング（図２１）。
【請求項１５】
内壁（１）は、水平接合を有して互いに頂部に配置されている板で作られている請求項１ないし１４いずれか１項記載のビルディング（図１９）。
【請求項１６】
ビルディングの天井は、ビルディングの長さ方向または交差方向に整列された接合部で互いに接合された天井板（２０）で作られている請求項１ないし１５いずれか１項記載のビルディング（図２４）。
【請求項１７】
屋根の基礎構造は、屋根の傾斜の方向に整列された接合部で互いに接合された板（２０）からなる請求項１ないし１６いずれか１項記載のビルディング。
【請求項１８】
板は、内壁（１）が、スペーサ（４）によって互いに離隔して保持されまた互いに接続された２つの板（２、３）からなり、スペーサ（４）と板（２、３）との間に空所（５）が存在するように企図されている請求項１ないし１７いずれか１項記載のビルディング（図１、２）。
【請求項１９】
内壁および／または外壁（１０）用に企図された板は、一方の側に１つの板（１２）を、他方の側に互いに直接接合され且つ互いに平坦にされた２つの板（１３）を有していて、各板（１２）と二重板（１３）とは、スペーサ（１４）によって互いに接続されかつ一定の距離で保持されている請求項１ないし１８いずれか１項記載のビルディング（図３、４）。
【請求項２０】
スペーサ（２４）によって所定の距離離間されて互いに接合された２つの板からなる板（２０）は、ビルディングの天井および／または屋根用に企図されていて、スペーサ（２４）は、内壁（１）用に企図された板のスペーサ（４）よりも厚い請求項１ないし１９いずれか１項記載のビルディング（図５、６）。
【請求項２１】
天井板（２０）と、天井板（２０）の端部領域における外壁（１０）との接続領域において、天井板（２０）の空所（２５）を外壁（１）の空所（１５）に接合する開口部（２８）を有する請求項１ないし２０いずれか１項記載のビルディング（図７、８）。
【請求項２２】
外壁（１０）と屋根部材（２０）の板（２２）の屋根（２０）との間のひさしの領域において、外壁（１０）の空所（１５）を屋根部材（２０）の空所（２５）に接合する開口部（２８）を有する請求項１ないし２１いずれか１項記載のビルディング（図９、１０）。
【請求項２３】
棟の領域において、天井板（２０）の隣接する水平端部が母屋桁（３０）によって支持されている請求項１ないし２２いずれか１項記載のビルディング（図１２、１４、１６）。
【請求項２４】
天井部材（２０）の内側板（２２）は、母屋桁（３０）の上部領域の輪郭に全く正反対に作られた輪郭を有している請求項２３記載のビルディング（図１２、１４）。
【請求項２５】
内壁（１）および／または外壁（１０）の水平接合の領域において、スペーサ（４、１４）は、内壁（１）および／または外壁（１０）の下方の端部に突出していて、また、スペーサ（４）は、少なくともスペーサ（４、１４）の突出長さだけ内壁（１）および／または外壁（１０）の上方の端部に直立して作られている請求項１ないし２４いずれか１項記載のビルディング（図１９、２１）。
【請求項２６】
互いに頂部に配置された内壁（１）および／または外壁（１０）の水平接合の領域において、二重板の一方の板（１３）は、外壁（１０）または内壁（１）の下方の端部を越えて外壁（１０）および／または内壁（１）の外側に突出して作られていて、また、外壁（１０）または内壁（１）の頂部の端部に直立して作られている請求項２５記載のビルディング（図２１）。
【請求項２７】
隣接する端部の領域において、板（２０）は、天井および／または屋根が規定の方法と全く正反対な輪郭に作られるように企図されている請求項１ないし２６いずれか１項記載のビルディング（図２３、２４）。
【請求項２８】
板（２０）の隣接する領域は、天井および／または屋根が、フック状に折り畳まれているように作られている請求項２７記載のビルディング（図２３、２４）。
【請求項２９】
板（１、１０、２０）内の空所（５、１５、２５）は、少なくとも部分的に材料で充填されている請求項１ないし２８いずれか１項記載のビルディング。
【発明の詳細な説明】
【０００１】
本発明は、誘導木材製品（ｄｅｒｉｖｅｄ ｔｉｍｂｅｒ ｐｒｏｄｕｃｔ）のビルディングに関し、特に誘導木材製品の板（ｓｈｅｅｔ）に関する。
【０００２】
例えば、２つのシェルを有して作られ、板の個々の面間に空所があるパーティクル板の板、外壁、内壁、および天井板の誘導木材製品の板で作られた最初に述べたタイプのビルディングを示しているものがある（例えば、特許文献１参照。）。この特許文献１において、ビルディングを構成する複数のシェル板は、現場（ｓｉｔｅ）でのみ接合されるので、ビルディングが建てられる場合、個別の板とスペーサの範囲外になる。
ビルディング用の板内に設けられた空所を通る配管（ｐｌｕｍｂｉｎｇ）と電力（ｐｏｗｅｒ）のルーチンを開示しているものがある（例えば、特許文献２参照。）。
【特許文献１】
イギリス特許（ＧＢ）２　２８７　０４７　Ａ
【特許文献２】
フランス特許（ＦＲ）２　１９４　１４５　Ａ。
【０００３】
本発明の目的は、自由に計画でき、また、専有的にまたは少なくともほとんどの部分誘導木材製品、特にパーティクルボードの板からなるビルディング、特に住宅を利用可能にすることである。
この目的は、請求項１の特徴を有するビルディングで達成される。
本発明において請求されるビルディングの好ましくて有利な実施例は、従属請求項の対象である。
本発明で請求されたビルディングは、パーティクルボードの板からなるので、特に、本発明の１つの提示によって誘導木材製品の板が、外壁、内壁、天井および／または屋根の、少なくとも一方の方向に連続的な一体部品で作られた場合自由に計画できる。
【０００４】
本発明で請求された概念は、興味を持った関係者によるインターネットページ通信を介して、家の構造と寸法に関する要望を入力することによってインターネットを使用してビルディングを計画することもまた可能にする。契約の場合において、このようにして計算されたデータは、誘導木材製品の板の製造者の工場を活発にするために直接使用できる。
【０００５】
ビルディングを含む本発明で請求された板は、少なくとも２つのシェルで作られ、板によって形成されたシェルの間に、その中に例えば配管および電力が収容できるようなスペーサ細片（ｓｔｒｉｐ）またはスペーサブロックのようなスペーサによって規定された空所がある。板の空所はまた、ビルディングの暖かい空気加熱用に、または、冷房するために使用できる。さらに、家を構成する板間の空所は、各要求のための絶縁特性特に板の騒音制御特性に適合するために充填できる。本発明において請求された家を構成する板間における空所は、どのような材料も充填できる。板に付加的に含まれている材料（または、板が完成したビルディング内に部分的にまたは完全に組み立てられた後でのみ充填される材料）は、ビルディングが少なくとも部分的に中実（ｓｏｌｉｄ）（例えば、コンクリート、軽量コンクリート等で）のビルディングのように作られている結果となるようにもまた選択できる。
【０００６】
有利には、本発明において請求されたビルディングにおいて、境界が定められた空間に面した板の内面は、すぐに塗装できるか研磨できる程度に仕上げられている。これは、特に、非常に低い膨張および収縮特性を有するパーティクルボード（ｐａｒｔｉｃｌｅ ｂｏａｒｄ）の板を使用することによって可能となり、非常に正確に作業される。それゆえ、一体的な空所を有していて、すでにその中に配管、電気および換気のような付加的な内蔵品を有する内部仕上げされ自己支持された壁は、プレハブ式に製造できまた有効に作ることができる。
【０００７】
本発明で請求されたビルディングは、壁（内壁および外壁）を形成する板間の空所を、天井および／または屋根を形成する板間の空所に接続することが可能であり、ビルディング全体の暖房と冷房およびそれ故一定の室温を可能とする。これはまた、空所を空気調和装置に接続することによる特別なコストを必要としないで、ビルディングの空気調和を可能にする。例えば、空気加熱ポンプがビルディングを加熱するために使用できる。
【０００８】
絶縁材および外部施工（ｒｅｎｄｅｒｉｎｇ）が、外壁の外面に適用できる。屋根部材は、通常の被覆材で設けることができる。
パーティクルボードの板は、本発明の枠組み内において特に好ましい。
所定の形状と厚さおよび接着剤を有する細くて整列された木の薄片（ｓｈａｖｉｎｇ）で作り出された多層板の形状のパーティクルボードの板が好ましい。外側の層の木の薄片は、板の長さまたは幅に平行に整列されていて；中間層の木の薄片は、無作為に配置することができるか、または、一般的に、外側の層の木の薄片に直角にできる。これらの板を製造するために使用される平坦な薄片は、一般的に、ほぼ６０ｍｍの長さと、３５ｍｍの幅と、０．６ｍｍの厚さを有している。切断処理によって、およびその結果としての更なる処理（乾燥、検査、輸送、接合、分散（ｓｃａｔｔｅｒｉｎｇ））によって、薄片は、損傷され（薄片の破裂、歪み、ねじ曲がり、薄片のねじれ）；これは、切断材料の比較的大きくてきれいな（ｆｉｎｅ）部分（小さくて漠然とした薄片構造）を生ずる。被覆層の薄片は、一般的に、きれいな材料の一部分が再び排除できるので、中間層の薄片よりも小さいきれいな部分を有している。
【０００９】
本発明用に、接着剤によって単一層の板に接合され、所定の形状と厚さを有する長くて細い整列された木の薄片からなる誘導木材製品の板もまた使用できる。木の薄片の方向付けは、板の厚さ全体にわたって本質的に一定である。横方向に分散（ｓｃａｔｔｅｒ）された中間層はない。
スペーサ（細片またはブロックの）は、誘導木材製品から構成でき、例えば適切に寸法が定められたパーティクルボードである。これは、そのとき要求された寸法で所望の端部形状を有して、板製造工場において誘導木材製品板を製造することを可能にする。これらのパーティクルボードの板は、それらがまた必要である付加的な制限なしでビルディングの固定の要求を満足するのでむしろ安定する。
【００１０】
内側の壁用に、好ましくは誘導木材製品板が使用され、それは、板間に空所を規定する細片またはブロックを有する２つのパーティクルボードで作られていて、空所は、板を離間して離しそれらの間に設けられていて、板は特に接着剤でスペーサに接続されている。
【００１１】
外壁は、誘導木材製品板であって、例えば、境界空間に面したそれらの（内）側に、例えば、パーティクルボードのような個々の板を有していて、それらの外側に、好ましくはパーティクルボードのような２つの板が、例えば、接着剤で互いに直接接合されていて、個々の板と二重の板とは、スペーサ（ブロックまたは細片）を介して互いに接続されている。
【００１２】
天井と屋根用に誘導木材製品板が使用され、それらの内側と外側に同時に好ましくはパーティクルボードの板である１つの板があり、それらは、例えば接着剤で、ブロックまたは細片の形状の離間した比較的厚いスペーサによって互いに接合されている。
多層階のビルディング用に、内壁および／または外壁を形成する板は、水平な接合部で互いに接合されるので、水平方向へ通過する内壁または外壁が形成される。
【００１３】
天井部材および／または屋根部材は同様に、少なくとも一方の方向へ通り、例えばフック状（ｈｏｏｋ−ｌｉｋｅ）の端部形成部を介して互いに結合される。
本発明において請求されたようなビルディングの上記施工（ｅｘｅｃｕｔｉｏｎ）は、自由に設計することが可能であり、ビルディングの個々の部品（内壁、外壁、天井および屋根）もまた工場で適切な寸法に組み立てられ、そこにおいて板（例えば、パーティクルボードの板）は製造され、またついで工事現場に直接輸送される。このように、寸法の切断または整形は、工事現場においてもはや必要がなく、特に、本発明において請求されたビルディングの個々の部品が、例えば、形作るために製材されたそれらの端部の必要なところが作業される場合において、予備組み立てされた内壁と外壁および天井部品と屋根部品からビルディングを組み立てることで十分である。
【００１４】
板に吸収された水分の十分な解放が、例えば蒸気障害物があるので確実でない場合、空所を通った例えば家の意図的な加熱により、空所を十分に換気することによって空所を通してこの水分を放出することが可能である。
本発明において請求されたビルディングの他の詳細および態様は、添付した図面を参照して、好ましい実施例の以下の記述において説明される。
【００１５】
図１と２（部分的に）に示された内壁１は、互いに平行に整列され、互いに離間して設けられ、そして同一または異なった厚さを有するパーティクルボードの２つの板２、３からなっている。パーティクルボード板２と３は、スペーサ４を介して互いに接続されている。スペーサ４は細片（ｓｔｒｉｐ）またはブロックである。図１と２に示された内壁は、そのとき必要とされた寸法および端部形状を有して、例えば、製造者の工場で生産され、板２と３は、製造者の工場において例えば、接着剤でスペーサ４に接合される。スペーサ４によって、内壁１の板２と３との間には空所５ができる。これらの空所５は、内壁１内に配管および電力を収容するために使用できる。これらの空所５はまた、それらを対応する暖房／冷房装置に接続することによって、ビルディングの温度制御（暖房／冷房）に使用できる。
【００１６】
空所５はまた、もし必要ならば、各要望に対して、絶縁特性、特に内壁１の騒音制御特性のために充填材を有して備えられる。特に、良好な騒音制御特性を有する内壁１の固有周波数（ｎａｔｕｒａｌ ｆｒｅｑｕｅｎｃｙ）を変更する材料を充填することが企画される。充填材はまた、本発明において請求されているビルディングが少なくとも部分的に中実（ｓｏｌｉｄ）構造の特性を有するように選択される。
【００１７】
図３に示された外壁１０は、その（内）側に境界を定められた空間に面したパーティクルボード板１２と、その外側に例えば互いに直接接着された２つのパーティクルボード板１３とを有している。二重の板１３は、内壁１用に図１と２を使用して述べられたように、スペーサ１４を介して内側の板１２に接続されていて、それによって空所１５ができる。外壁１０は、内壁１用に述べられたように、所望の寸法と端部施工（ｅｄｇｅ ｅｘｅｃｕｔｉｏｎ）を有して、製造者の工場で生産される。
【００１８】
図５と６に示されていて天井および／または屋根に使用できる板形状の部材２０は、例えば、スペーサ２４を介して互いに接続された２つのパーティクルボード板２２と２３とからなっている。天井部材および／または屋根部材２０用に、板２２と２３（パーティクルボードの板）との間の比較的大きい距離は有利であり、これは比較的厚いスペーサ２４（ブロックまたは細片）によって達成できる。示された実施例において、比較的大きい厚さのスペーサ２４が、それらを複数層（この実施例において、３層）組み立てることによって達成することができる。図６に示されたように、スペーサ２４と、板２２および２３との間に設けられた空所２５は、断熱材２６、および／または、充填材２７によって充填することができる。これに替えて、外壁１０と内壁１とについて述べたように、天井部材および／または屋根部材２０はまた、配管およびガス／電気の挿入用に、および／または、上述した板部材以外のビルディングの温度制御用に使用できる。
【００１９】
図７と８は、互いに頂部に配置された２つの外壁１０と、それらの間に端部が配置された天井部材２０との間の接続を示している。天井部材２０の板２２、２３の端部に開口部２８があり、これは、外側の壁部材１０の空所１５と同一平面をなしているので、外側の壁部材１０の空所１５は、図８において矢印で示されたように、天井部材２０の空所２５に接続されている。
【００２０】
図９と１０とは、図５と６とを使用して述べられたように作られた外壁１０と屋根部材２０との間のひさし（ｅａｖｅ）の施工を示している。外壁１０の板２２と２３の上端部は、図１０に示されたように加工され、板２２は同様に図１０に示されたように道筋が定められ、それによって外壁１０と屋根部材２０との間の滑り止め接続が確実にされる。外壁１０の空所１５の上端部領域には、屋根部材２０の板２２における貫通開口部２８があり、図１０の矢印で示されたように、外壁１０の空所１５は屋根部材２０の空所２５と連通する。
図９と１０とはまた、外壁１０が、その二重の板１３が空間の外側を向くように、板１２が内側を向くように設けられていることを示している。
【００２１】
図１１と１２とは、２つの屋根部材２０の間の棟（ｒｉｄｇｅ）の施工の実施例を示していて、棟の領域には中実の木の母屋桁（ｐｕｒｌｉｎ）３０がある。図１１に示された実施例において、母屋桁３０は、屋根部材２０の下方に設けられていて、その上部角部３１が屋根部材２０の下方の板２２の対応する溝内に係合している。さらに、母屋桁３０は、頂部に設けられた傾斜面３２が屋根部材２０の板２２の上端部領域に隣接している。このように、棟領域における屋根部材２０の確実な支持ができる。
【００２２】
図１３と１４とは、母屋桁３０を有する棟の異なったタイプの施工を示している。この実施例において、母屋桁３０は、屋根部材２０の頂部まで延びていて、屋根部材２０の設定の経過にしたがって頂部が傾斜している。母屋桁３０は、２つの肩部３１が、屋根部材２０の下方の板２２の対応する溝と係合しているので、棟領域における屋根部材２０の確実な支持ができる。
【００２３】
図１５と１６とは、比較的低く予測された負荷を有する屋根バージョン（ｖｅｒｓｉｏｎ）用に企図された棟の施工用の第３の変形例を示している。このバージョンにおいて、屋根部材２０の上方の板２３の棟側端部に関連してセットバック（ｓｅｔ−ｂａｃｋ）を作られた屋根部材２０の下方の板２２は、母屋桁３０の側面に隣接している。
【００２４】
２つの屋根部材２０から形成された棟領域に内壁１がある場合、棟は、図１７と１８に示されたように作ることができる。ここで、屋根部材２０の下方の板２２が内壁１の板２と３の上部水平端部に隣接しているので、内壁１の空所５は屋根部材２０の空所２５と連通している。
【００２５】
ビルディングが本発明において請求されるように立ち上げられる場合に、比較的高い内壁１がもし必要であれば、図１９と２０に示されたような個別の内壁１は、互いの頂部に位置付けることができ、水平接合を形成する。ここで、上方の内壁１の下側端部のスペーサ１４が細長く作られていて、それゆえ内壁１の下方の端部を越えて突出していて、スペーサ１４の上方端部が下方の内壁１板２と３との間で対応してセットバックして作られている場合、内壁１間の水平接合の領域における形状係合接続は、内壁１の空所５が中断されないことを確実にすることが好ましい。
【００２６】
図２１と２２とは、互いに頂部に配置された外壁１０間の水平接合の類似した施工を示していて、スペーサ１４のみでなく２つの板１３の一方もまた外壁１０の下方の端部に突出していて、下方の外壁１０の上端部がそれに従ってセットバックされているので、水平接合の領域における外壁１２０間の形状係合接続は、同様に空所１２５が中断されないで形成される。
【００２７】
交互に設けられた天井部材または屋根部材２０の接続用の図２３に示された好ましい実施例において、断面に見られるそれらの隣接する端部の領域における部材はフックのように成形されているので、フック状に折り畳まれたような接続（ｈｏｏｋｅｄ ｆｏｌｄ−ｌｉｋｅ ｃｏｎｎｅｃｔｉｏｎ）は、隣接する天井部材または屋根部材２０間に生ずる。接続を確実にするために、フック状に折り畳まれた領域において、図２４に示されたように拘束ねじ８がねじ込まれるか、および／またはそこが接着される。図２４はまた、隣接する天井部材または屋根部材２０間の接続の側部領域において、例えば、プラスチックまたは木の細片の形状のカバー２９によって充填された溝２８があるので、特にカバー２９が水平にされた後、底部の当接接合は、もはや下部から見ることができないことを示している。この場合において、隣接する天井部材または屋根部材２０間のフック状の施工が、所望の強度を達成するために、好ましくは少なくとも端部領域（細片形状の）において連続的に作られたスペーサ１４の介在物を有してなされることが明らかである。
【００２８】
ねじ８による接続に加えて、折り畳み（ｆｏｌｄ）接続もまた接着によって確実にできる。図２５と２６とは、互いに角度をなして接合する内壁１間の角部接続を示している。接合端部の領域において、内側板３は、内壁１の外側板２に関してセットバックしているので、図２６に示された構造は、角部接続を接着するか、または、ねじ８によって取着することを可能にする。
【００２９】
図２７と２８に示されたような一方の内壁１と外壁１０との接続において、接続領域にはねじ４１で外壁１０に接続された梁４０がある。梁４０は、内壁１の板２と３との間に係合されていて、対応する溝を有する板２と３の内面を提供することを可能にする。梁４０と内壁２との間の接続は、ねじ４２および／または接着によって確実にされる。外壁１０と内壁１との間の角度がつけられた２つの内側角部の領域において、例えば適応されたプラスチック角部材（図示せず）を収容する溝４４、４５がある。これは、木が作用している場合であっても、外壁１０と内壁１との間の接続領域に間隙が形成されないことを確実にする。
【００３０】
図２９と３０とは、内壁１の外壁１０への接続の１つの変形施工を示している。そのために、例えば、金属フック５０は、一方において外壁１０の板１２に、他方において内壁１の端部側スペーサ４にねじ止めされているので（図２９参照）、内壁１と外壁１０との間の形状係合された接続は、頂部から内壁内へ引っ掛け、それ故下方へ移動することによって生成できる。
【００３１】
角部接続用のために図３１と３２に示された例において、互いに角度をなして接合した２つの外壁間で、板１２は２層板１３に関してセットバックしているので、図３２に示された角部接続は、一方の外壁１０の板１３が他方の外壁１０の板１３の端部に当接する結果となる。一方の外壁１０の内側板１２は、他方の外壁１０の二重板１３の内側の板１３に隣接する他方の外壁の内側板１２の内面に当接する。隣接する板端部の領域において、接着接続部９を設けることができ、付加的に、またはこれに替えてねじによって接合される。
【００３２】
図３３は、一方の内壁１を外壁１０に接続するために図２９と３０を使用してすでに述べられたのと同様に、保持爪５０の使用のために生成された２つの外壁１０間の角部接続の１つの実施例を示している。
【００３３】
図３５と３６は、外壁１０の二重の板１３が端部側で段部をなして作られていて、外壁１０の内側板１２が他方の外壁１０のスペーサ１４に隣接するために、図３１と３２に関連して変更された２つの外壁１０間の角部接続を示している。ここにおいて、接着接続部９に付加的に、またはこれに替えて、外壁１０間の角部接続を確実にするためにねじ８もまた使用できる。
【００３４】
図３７と３８は、外壁１０の対応する切欠部の内側に開口した窓６０の施工を示している。特に図３８から、窓枠６１が外壁１０の二重板の外側板１３に接続されていて、板１３が窓開口部の領域に突出するように作られていて、それによって、対応する施工が、外壁１０およびそこにおける窓開口部の製造において板１３の対応する掘り下げ部（ｓｉｎｋｉｎｇ）によって作ることができるので、停止細片が必要ではないことがみられる。
類似することが、図３９と４０によって内側に開口する窓の施工に応用する。窓枠６１が、外壁１０の窓開口部の領域に突出して作られた内側板１２に直接接続されているので、停止細片もまた必要ではない。
【００３５】
図４１は、図１から４０を使用して先に述べられた内壁１、外壁１０、天井部材２０および屋根部材２０から、本発明において請求されるように製造されたビルディングを示している。水平方向の内壁１が一体的に連続的に作られていることが明らかである。外壁１０は、ビルディングの全長および幅にわたって通っていて、単に必要な高さを達成するために互いの頂部を水平に接合されていて、水平な接合は図２１と２２に示されたように作ることができる。ここで提供された母屋桁３０と組み合わせた棟の施工は、図１１から１６を使用して上記で述べたように作ることができる。ひさしの領域、それゆえ屋根部材２０が外壁部材１０と隣接する領域において、図９と１０を使用して述べられた施工が可能である。
【図面の簡単な説明】
【図１】内壁の斜視図。
【図２】内壁の断面図。
【図３】外壁の斜視図。
【図４】外壁の断面図。
【図５】天井部材または屋根部材の斜視図。
【図６】図５の要素の断面図。
【図７】外壁と天井との間の接続部の断面斜視図。
【図８】壁と天井との間の接続部の断面図。
【図９】ひさしの領域における外壁−屋根接続部を示す図。
【図１０】ひさしの領域における壁と屋根との間の接続部の断面図。
【図１１】棟施工における斜視図。
【図１２】図１１の棟施工を示す断面図。
【図１３】棟施工の他の実施例を示す斜視図。
【図１４】図１３の断面図。
【図１５】棟施工の他の実施例を示す斜視図。
【図１６】図１５の棟施工を示す断面図。
【図１７】内壁の領域における棟施工を示す斜視図。
【図１８】図１７の断面図。
【図１９】互いに頂部に設けられた内壁の水平接合を示す断面図。
【図２０】内壁間の水平接合を示す斜視図。
【図２１】外壁の領域における水平接合を示す断面図。
【図２２】外壁の水平接合を示す斜視図。
【図２３】隣接する天井部材または屋根部材の接続を示す斜視図。
【図２４】図２３の断面図。
【図２５】２つの内壁間の角部のバージョンの斜視図。
【図２６】図２５の角部バージョンを通った水平断面図。
【図２７】内壁と外壁との接続を示す斜視図。
【図２８】図２７の水平断面図。
【図２９】接続部材が拡大されて示された内壁と外壁との間の接続の他のバージョンを示す斜視図。
【図３０】図２９の水平断面図。
【図３１】２つの外壁間の角部接続を示す斜視図。
【図３２】２つの外壁間の水平断面図。
【図３３】接続部材が拡大されて示された２つの外壁間の角部接続の他のバージョンを示す斜視図。
【図３４】図３３の水平断面図。
【図３５】２つの外壁間の角部接続の他のバージョンを示す斜視図。
【図３６】図３５の水平断面図。
【図３７】外壁の窓の斜視図。
【図３８】図３７の水平断面図。
【図３９】外壁の領域における窓の他のバージョンの斜視図。
【図４０】図３９の水平断面図。
【図４１】本発明において請求されたようなビルディングの部分的に切欠した斜視図。
【図１】
2004508476.tif 000003
【図２】
2004508476.tif 000004
【図３】
2004508476.tif 000005
【図４】
2004508476.tif 000006
【図５】
2004508476.tif 000007
【図６】
2004508476.tif 000008
【図７】
2004508476.tif 000009
【図８】
2004508476.tif 000010
【図９】
2004508476.tif 000011
【図１０】
2004508476.tif 000012
【図１１】
2004508476.tif 000013
【図１２】
2004508476.tif 000014
【図１３】
2004508476.tif 000015
【図１４】
2004508476.tif 000016
【図１５】
2004508476.tif 000017
【図１６】
2004508476.tif 000018
【図１７】
2004508476.tif 000019
【図１８】
2004508476.tif 000020
【図１９】
2004508476.tif 000021
【図２０】
2004508476.tif 000022
【図２１】
2004508476.tif 000023
【図２２】
2004508476.tif 000024
【図２３】
2004508476.tif 000025
【図２４】
2004508476.tif 000026
【図２５】
2004508476.tif 000027
【図２６】
2004508476.tif 000028
【図２７】
2004508476.tif 000029
【図２８】
2004508476.tif 000030
【図２９】
2004508476.tif 000031
【図３０】
2004508476.tif 000032
【図３１】
2004508476.tif 000033
【図３２】
2004508476.tif 000034
【図３３】
2004508476.tif 000035
【図３４】
2004508476.tif 000036
【図３５】
2004508476.tif 000037
【図３６】
2004508476.tif 000038
【図３７】
2004508476.tif 000039
【図３８】
2004508476.tif 000040
【図３９】
2004508476.tif 000041
【図４０】
2004508476.tif 000042
【図４１】
2004508476.tif 000043
【国際公開パンフレット】
2004508476.tif 000044
2004508476.tif 000045
2004508476.tif 000046
2004508476.tif 000047
2004508476.tif 000048
2004508476.tif 000049
2004508476.tif 000050
2004508476.tif 000051
2004508476.tif 000052
2004508476.tif 000053
2004508476.tif 000054
2004508476.tif 000055
2004508476.tif 000056
2004508476.tif 000057
2004508476.tif 000058
2004508476.tif 000059
2004508476.tif 000060
2004508476.tif 000061
2004508476.tif 000062
2004508476.tif 000063
2004508476.tif 000064
2004508476.tif 000065
2004508476.tif 000066
2004508476.tif 000067
2004508476.tif 000068
2004508476.tif 000069
2004508476.tif 000070
2004508476.tif 000071
2004508476.tif 000072
2004508476.tif 000073
2004508476.tif 000074
2004508476.tif 000075
2004508476.tif 000076
2004508476.tif 000077
2004508476.tif 000078
2004508476.tif 000079
2004508476.tif 000080
【手続補正書】
【提出日】平成14年10月17日(2002.10.17)
【手続補正１】
【補正対象書類名】明細書
【補正対象項目名】特許請求の範囲
【補正方法】変更
【補正の内容】
【特許請求の範囲】
【請求項１】
スペーサ（４、１４、２４）によって互いに接合され互いに距離を維持された少なくとも１つの内側パネル（２、１２、２２）と少なくとも１つの外側パネル（３、１３、３３）を備え少なくとも１方の方向に連続的に一体に作られた外壁（１０）と、内壁（１）と、床スラブ（２０）および屋根パネル（２０）とを有するビルディングであって、パネル（１、１０、２０）は、そのとき必要な寸法で所望の端部施工で予備組み立てされ、パネル（１、１０、２０）の内側パネルと外側パネルとの間（２、３：１２、１３：２２、２３）に空所（５、１５、２５）を備えたものにおいて、
パネル（１、１０、２０）内の空所（５、１５、２５）は、加熱および空気調和システムに接続されていて、外壁パネル（１０）、内壁パネル（１）、床スラブ（２０）および／または屋根パネル（２０）内の空所（５、１５、２５）は互いに連絡していて、そのために、一方において、床スラブ（２０）の領域と、床スラブ（２０）の端部領域における外壁（１０）との接続領域において、床スラブ（２０）の空所（２５）を外壁（１０）の空所（１５）に結合する開口部（２８）が設けられていて、他方において、屋根パネル（２０）のパネル（２２）の外壁（１０）と内壁（２０）との間ひさし領域において、外壁（１０）の空所（１５）を屋根パネル（２０）の空所（２５）に結合する開口部（２８）が設けられていることを特徴とするビルディング。
【請求項２】
パネル（１、１０、２０）の内側パネルと外側パネル（２、３：１２、１３：２２、２３）は、誘導木材製品のパネルである請求項１記載のビルディング。
【請求項３】
内側パネルおよび／または外側パネル（２、３：１２、１３：２２、２３）の木の薄片は、異なった方向へ方向付けられた幾つかの好ましくは３つの層の木の薄片、または単一層を有していて、また、同一方向へ方向付けられた本質的に木の薄片を有する請求項２記載のビルディング。
【請求項４】
スペーサ（４、１４、２４）は、細片である請求項１記載のビルディング。
【請求項５】
スペーサ（４、１４、２４）は、ブロックである請求項１記載のビルディング。
【請求項６】
内壁（１）は、水平方向に連続的に作られたパネルからなる請求項１ないし５いずれか１項記載のビルディング。
【請求項７】
外壁（１０）は、水平方向に連続的に作られたパネルからなる請求項１ないし６いずれか１項記載のビルディング。
【請求項８】
床部材（２０）は、ビルディングの幅または長さの方向に連続的に作られたパネルである請求項１ないし７いずれか１項記載のビルディング。
【請求項９】
屋根は、屋根の勾配の方向に通っているパネル（２０）で作られている基礎構造を有している請求項１ないし８いずれか１項記載のビルディング。
【請求項１０】
外壁（１０）は、水平接合部を有して互いに頂部に配置されているパネルで作られている請求項１ないし９いずれか１項記載のビルディング（図２１）。
【請求項１１】
内壁（１）は、水平接合部を有して互いに頂部に配置されているパネルからなる請求項１ないし１０いずれか１項記載のビルディング（図１９）。
【請求項１２】
ビルディングの床は、ビルディングの長さ方向または交差方向に整列された接合部で互いに接合された床スラブ（２０）で作られている請求項１ないし１１いずれか１項記載のビルディング（図２４）。
【請求項１３】
屋根の基礎構造は、屋根の傾斜の方向に整列された接合部で互いに接合されたパネル（２０）からなる請求項１ないし１２いずれか１項記載のビルディング。
【請求項１４】
棟の領域において、端部が互いに隣接する屋根パネル（２０）が、母屋桁（３０）によって支持されている請求項１ないし１３いずれか１項記載のビルディング（図１２、１４、１６）。
【請求項１５】
屋根パネル（２０）の内側パネル（２２）は、母屋桁（３０）の頂部領域の輪郭に全く正反対に作られた輪郭を有している請求項１４記載のビルディング（図１２、１４）。
【請求項１６】
内壁（１）および外壁（１０）の水平接合の領域において、スペーサ部材（４、１４）は、内壁（１）および外壁（１０）の下方の端部に突出していて、また、内壁（１）および外壁（１０）の頂部におけるスペーサ部材（４）は、スペーサ部材（４、１４）の少なくとも突出部によって窪まされている請求項１ないし１５いずれか１項記載のビルディング（図１９、２１）。
【請求項１７】
床スラブおよび屋根パネル（２０）として互いに境を接する端部は、全く正反対に輪郭が作られている請求項１ないし１６いずれか１項記載のビルディング（図２３、２４）。
【請求項１８】
端部が互いに境を接する床スラブおよび屋根パネル（２０）の端部は、フック状に折り畳まれているように作られている請求項１７記載のビルディング（図２３、２４）。
【請求項１９】
パネル（１、１０、２０）内の空所（５、１５、２５）は、少なくとも部分的に材料で充填されている請求項１ないし１８いずれか１項記載のビルディング。
【請求項２０】
パネル（１、１０、２０）の空所（５、１５、２５）に配管と配線とがある請求項１ないし１９いずれか１項記載のビルディング。
【手続補正２】
【補正対象書類名】明細書
【補正対象項目名】０００１
【補正方法】変更
【補正の内容】
【０００１】
本発明は、誘導木材製品（ｄｅｒｉｖｅｄ ｔｉｍｂｅｒ ｐｒｏｄｕｃｔ）のビルディングに関し、特に、独立請求項１の導入部分の特徴を有する誘導木材製品のパネル（ｐａｎｅｌ）に関する。


【手続補正３】
【補正対象書類名】明細書
【補正対象項目名】０００２
【補正方法】変更
【補正の内容】
【０００２】
例えばパーティクルボードのような誘導木材製品のパネルで作られた最初に述べたタイプのビルディングであって、２つのシェルを有していて、パネルの個々のシェルの間に空所を有して作られた外壁、内壁、および床スラブ（ｆｌｏｏｒ ｓｌａｂ）を備えたビルディングを示しているものがある（例えば、特許文献１参照。）。この特許文献１において、ビルディングを構成する複数のパネルは、ビルディングが建てられる場合、現場（ｓｉｔｅ）でのみ個別のパネルとスペーサ部材から接合される。
ビルディング用のパネル内に設けられた空所を通る配管（ｐｌｕｍｂｉｎｇ）と配線（ｗｉｒｉｎｇ）のルーチンを開示しているものがある（例えば、特許文献２参照。）。
外壁、床スラブおよび屋根パネルが、少なくとも１つの内側パネルと少なくとも１つの外側パネルとを有する各誘導木材製品パネルからなるビルディングを開示しているものがある（例えば、特許文献３参照。）。特許文献３において、ビルディングのパネルの内側パネルと外側パネルとは、スペーサ部材によって互いに離間して接続されていて、外側パネルと内側パネルとの間には空所（ｃａｖｉｔｙ）がある。最後に、パネルは、そのとき必要な寸法で、また必要な端部施工で予備組み立がされる。
【特許文献１】
イギリス特許（ＧＢ）２　２８７　０４７　Ａ
【特許文献２】
フランス特許（ＦＲ）２　１９４　１４５　Ａ
【特許文献３】
米国特許（ＵＳ−Ａ）５　５８８　２６９。
【手続補正４】
【補正対象書類名】明細書
【補正対象項目名】０００３
【補正方法】変更
【補正の内容】
【０００３】
本発明の目的は、自由に計画でき、また、完全にまたは少なくともほとんどの部分が特にパーティクルボードの誘導木材製品からなるビルディングを利用可能にすることである。この目的は、請求項１の特徴を有するビルディングで達成される。
本発明において請求されるビルディングの好ましくて有利な実施例は、従属請求項の対象である。
本発明で請求されたビルディングは、パーティクルボードからなるので、特に、本発明の１つの示唆によって誘導木材製品のパネルが、外壁、内壁、床および／または屋根の、少なくとも一方の方向に連続的な一体部品として作られた場合自由に計画できる。


【手続補正５】
【補正対象書類名】明細書
【補正対象項目名】０００４
【補正方法】変更
【補正の内容】
【０００４】
本発明で請求された概念は、興味を持った関係者によって対応するインターネットページ（「ホームページ」）を介して、家の構造と寸法に関する要望を入力することによってインターネットを使用してビルディングを計画することもまた可能にする。契約を調印する場合において、このようにして計算されたデータは、誘導木材製品のパネルの製造者の工場を活発にするために直接使用できる。


【手続補正６】
【補正対象書類名】明細書
【補正対象項目名】０００５
【補正方法】変更
【補正の内容】
【０００５】
ビルディングを構成する本発明で請求されたパネルは、少なくとも２つのシェルで作られ、パネルによって形成されたシェルの間に、その中に例えば配管および配線が収容できるようなスペーサ細片（ｓｔｒｉｐ）またはスペーサブロックのようなスペーサ部材によって規定された空所がある。パネル内の空所はまた、ビルディングの暖かい空気加熱用に、または、家の空気調和用に使用できる。さらに、家を構成するパネル内の空所は、各要求のための絶縁特性特にパネルの騒音減衰制御特性に適合するために充填できる。本発明において請求された家を構成する板間における空所は、どのような材料も充填できる。板に付加的に含まれている材料（または、板が完成したビルディング内に部分的にまたは完全に組み立てられた後でのみ充填される材料）は、ビルディングが少なくとも部分的に中実（ｓｏｌｉｄ）（例えば、コンクリート、軽量コンクリート等で）のビルディングのように作られている結果となるようにもまた選択できる。




【国際調査報告】
2004508476.tif 000081
2004508476.tif 000082
2004508476.tif 000083
2004508476.tif 000084
2004508476.tif 000085
2004508476.tif 000086